(57)【要約】【課題】マッサージの効果を向上させる。【解決手段】モータ５の駆動によって回転する回転子１１の回転中心から偏心した位置に、駆動軸２２が回転自在かつ軸線方向への移動が可能に支持されている。駆動軸２２の中央部には太陽歯車２４が軸着され、先端部には施療子３５を回転自在に保持するホルダー３４が取り付けられている。回転子１１の中心から離間した部位に植設された長軸１８には、太陽歯車２４と噛合する遊星歯車１９が回転自在に支持されている。太陽歯車２４と一体的に回転するプレート２６には、環状カム２５のカム面２５ａに対接するカムフォロア３０が回転自在に支持されている。【選択図】        図１
2004229786.tif 000002
【特許請求の範囲】
【請求項１】
施療子が一端に設けられた駆動軸と、この駆動軸の他端側を軸線方向に上下動自在に支持する回転子と、この回転子の回転に追従して前記施療子を前記駆動軸の軸線方向に上下動させる環状カムとによって構成し、前記駆動軸の軸芯を前記回転子の軸芯から偏心させたことを特徴とするマッサージ装置。
【請求項２】
請求項１記載のマッサージ装置において、前記施療子を球体とし、この球体を前記駆動軸に回転自在に保持したことを特徴とするマッサージ装置。
【発明の詳細な説明】
【０００１】
【発明の属する技術分野】
本発明は、手の平や足の裏等の施療部位（つぼ）を押圧するマッサージ装置に関する。
【０００２】
【従来の技術】
従来のマッサージ装置は、手の平の施療部位を押圧する押子を駆動部によって反復的に変位させるものがある。（例えば、特許文献１参照。）
また、多数の押圧用突起を摺動プレートの昇降用カムによって、上下動させて足の裏の施療部位を押圧するものもある。（例えば、特許文献２参照。）。
また、回転軸に偏心カム部を介して取り付けた押圧体の偏心量によって手の平の施療部位を押圧するものもある。（例えば、特許文献３参照。）。
【０００３】
なお、本出願人は、本明細書に記載した先行技術文献情報で特定される先行技術文献以外には、本発明に密接に関連する先行技術文献を出願時までに発見するには至らなかった。
【０００４】
【特許文献１】
実公平３−３０１０５号公報（２頁右欄第３８〜３９行、第３図）
【特許文献２】
実開平４−１５９３１号公報（４頁、第１図）
【特許文献３】
特開２００２−５２０５８号公報（段落００１４、図１１）
【０００５】
【発明が解決しようとする課題】
上述した従来のマッサージ装置においては、いずれも施療部位を施療子で押圧するだけの構造であり施療子を施療部位の周りを公転させるものではないため、血行の促進という観点からは必ずしも充分なマッサージ効果が得られないという問題があった。また、施療子が単に往復動するだけの構造であるため、施療子が施療部位から外れやすいという問題もあった。
【０００６】
本発明は上記した従来の問題に鑑みなされたものであり、その目的とするところはマッサージの効果を向上させることにある。
【０００７】
【課題を解決するための手段】
この目的を達成するために、請求項１に係る発明は、施療子が一端に設けられた駆動軸と、この駆動軸の他端側を軸線方向に上下動自在に支持する回転子と、この回転子の回転に追従して前記施療子を前記駆動軸の軸線方向に上下動させる環状カムとによって構成し、前記駆動軸の軸芯を前記回転子の軸芯から偏心させたものである。
したがって、回転子が回転すると施療子は施療部位の周りを公転する。
【０００８】
また、請求項２に係る発明は、請求項１に係る発明において、前記施療子を球体とし、この球体を前記駆動軸に回転自在に保持したものである。
したがって、公転しながら施療部位を押圧する施療子が遊転する。
【０００９】
【発明の実施の形態】
以下、本発明の実施の形態を図に基づいて説明する。図１は本発明に係るマッサージ装置の一部を破断して示す正面図、図２は図１においてカバーを取り除いた状態におけるＩＩ−ＩＩ  線断面図、図３は同じく要部を拡大して示す断面図、図４は同じくマッサージされる部位を説明するための手の平の図である。
【００１０】
図１で全体を符号１で示すマッサージ装置においては、円板状に形成されたベース板２と、このベース板２を覆うドーム状に形成されたカバー３とによって装置の筺体が備えられており、カバー３の頂部には平面視円形の穴４が穿孔されている。ベース板２上には、ブラケット６を介してモータ５が固定されており、このモータ５のモータ軸（図示せず）にはウォーム７が軸着されている。
【００１１】
ベース板２上の中央部には、円筒状に形成された支持壁８が立設されており、この支持壁８の内周面の上部側には、図３に示すように、略有底円筒状に形成され底部に貫通穴１０が設けられた保持部材９が固定されている。この保持部材９の内側には、軸受１５，１６を介して略円柱状に形成された回転子１１が回転自在に支持されており、この回転子１１の底面の中央部には回転軸部１２が下方に一体に突設されている。
【００１２】
また、この回転子１１の上面の略中央部には、めくら穴状に形成された軸受穴１３が凹設され、この軸受穴１３から離間した部位には、めくら穴状に形成された軸穴１４が凹設されている。軸受穴１３の軸芯は、上記した回転軸部１２の軸芯から間隔δだけ偏心した位置に位置付けられている。この軸受穴１３には、軸受２１を介して駆動軸２２が回転自在、かつ軸線方向に上下動自在に支持されており、この駆動軸２２は上方に延設され、中央部には太陽歯車２４が軸着され、上端部に長孔２３が設けられている。
【００１３】
前記軸穴１４には軸１８が植設されており、この軸１８には太陽歯車２４と噛合する遊星歯車１９が回転自在に支持されている。２０は円環状に形成された内歯車であって、遊星歯車１９と噛合するように後述する環状カム２５を介して支持壁８の内側に固定されている。環状カム２５は円環状に形成され支持壁８の内側に固定されており、上面には円周方向に１８０°位相がずれるように波状に形成されたカム面２５ａが設けられている。
【００１４】
２６は平面視矩形状に形成された回転板であって、中央部に上記駆動軸２２が遊挿される穴２６ａが設けられているとともに、周縁部には上記軸１８が遊挿される穴２６ｂが設けられている。この回転板２６の両端部は、互いに対向するように下方に直角に折り曲げられており、この折曲部２７，２７には軸２９，２９が植設され、これら軸２９，２９にはカムフォロア３０，３０が回転自在に支持されている。
【００１５】
３１は小円筒状に形成されたばね受け子であって、上記太陽歯車２４とともに回転板２６を挟持するように駆動軸２２に軸着されており、このばね受け子３１と太陽歯車２４とによって回転板２６のカムフォロア３０が環状カム２５のカム面２５ａに対接し、かつ回転板２６が太陽歯車２４と一体的に回転するように構成されている。３２は略小円柱状に形成された連結子であって、上側にフランジ部３２ｂが一体に設けられているとともに、下面の中央部に上記駆動軸２２の上端部が嵌挿されフランジ部３２ｂに臨む嵌挿穴３２ａが設けられている。
【００１６】
この連結子３２には嵌挿穴３２ａを横切るようにピン３３が横架され、このピン３３が嵌挿穴３２ａに嵌挿された駆動軸２２の長孔２３内に係入されることにより、連結子３２は駆動軸２２に長孔２３の全長分だけ上下方向に摺動自在に支持される。３４は略円筒状に形成されたホルダーであって、下部の開口部には連結子３２のフランジ部３２ｂに嵌合固定されており、上端の開口縁には内側に向かって突設した係止部３４ａが形成されている。このホルダー３４内には、球体に形成された施療子３５が係止部３４ａによって、ホルダー３４内からの脱落が規制された状態で回転自在に保持されている。
【００１７】
連結子３２のフランジ部３２ｂと上記ばね受け子３１との間には圧縮コイルばね３６が弾装されている。この圧縮コイルばね３６の弾発力によって、連結子３２は常時上方に付勢されており、この状態で連結子３２の嵌挿穴３２ａの上面と駆動軸２２の上端との間には間隔Ｌが形成されているとともに、施療子３５がカバー３の穴４から突出している。
【００１８】
次に、このような構成のマッサージ装置におけるマッサージ動作を説明する。
図１に示すように、手の平４０の施療部位を施療子３５上に載置する。モータ５を駆動すると、モータ軸の回転と一体的にウォーム７が回転し、図３に示すように、この回転はウォームホィール１７を介して回転軸部１２に伝達され回転子１１が回転する。回転子１１が回転すると、駆動軸２２の軸芯が回転子１１の回転軸部１２の軸芯からδだけ偏心していることにより、駆動軸２２が回転軸部１２の軸芯の周りを公転する。
【００１９】
同時に、軸１８に回転自在に支持された遊星歯車１９は、回転子１１の回転と一体的に回転軸部１２の周りを公転し、支持壁８に固定されている内歯車２０に噛合していることにより軸１８の周りを自転する。したがって、この遊星歯車１９に噛合している太陽歯車２４が駆動軸２２を回転中心として自転するため、太陽歯車２４が軸着されている駆動軸２２も一体的に自転する。
【００２０】
駆動軸２２が自転することにより、太陽歯車２４およびばね受け子３１と一体的に回転板２６が回転することにより、カムフォロア３０が環状カム２５のカム面２５ａ上を走行するから回転板２６が図中上下動する。
【００２１】
したがって、駆動軸２２が太陽歯車２４およびばね受け子３１を介して軸線方向に上下動するため、施療子３５も上下動するとともに、上述したように駆動軸２２が公転していることより、施療子３５は図４に符号３５で示すような軌跡上を公転し、手の平４０を押圧してマッサージする。このとき、連結子３２とばね受け子３１との間に圧縮コイルばね３６を弾装したことにより、施療子３５による手の平４０への押圧力がこの圧縮コイルばね３６によって適度に緩和されるため、施療子３５からの押圧力が手の平４０に不快な感触を与えることがない。
【００２２】
このように、施療子３５が施療部位の周りを公転することにより、施療部位の周りも併せてマッサージできるため施療部位の血行がより促進されるためマッサージ効果が向上する。さらに、施療子３５を球体に形成し、かつホルダー３４内に回転自在に保持したことにより、施療子３５が公転するときに、手のひら４０に押圧された施療子３５が遊転するため施療部位との間に摩擦が発生したり、施療子３５によって施療部位の表面に傷を付けたりするようなことがない。
【００２３】
なお、本実施の形態においては、モータ５の駆動を一方向のみとしたが、必要に応じて逆方向に駆動するようにしてもよく、その場合にはさらにマッサージ効果が向上する。
【００２４】
【発明の効果】
以上説明したように請求項１に係る発明によれば、施療部位のみならず施療部位の周りも併せてマッサージできるため施療部位の血行がより促進され、マッサージ効果が向上する。
【００２５】
また、請求項２に係る発明によれば、施療子と施療部位との間に摩擦が発生したり、施療子によって施療部位の表面に傷を付けたりするようなことがない。
【図面の簡単な説明】
【図１】本発明に係るマッサージ装置の一部を破断して示す正面図である。
【図２】図１においてカバーを取り除いた状態におけるＩＩ−ＩＩ  線断面図である。
【図３】本発明に係るマッサージ装置における要部を拡大して示す断面図である。
【図４】本発明に係るマッサージ装置によって、マッサージされる部位を説明するための手の平の図である。
【符号の説明】
１…マッサージ装置、２…ベース板、３…カバー、５…モータ、１１…回転子、１２…回転軸部、１９…遊星歯車、２０…内歯車、２２…駆動軸、２３…長孔、２４…太陽歯車、２５…環状カム、２６…回転板、３０…カムフォロア、３２…連結子、３３…ピン、３４…ホルダー、３５…施療子、３６…圧縮コイルばね、４０…手の平、４３…施療子の公転の軌跡。
【図１】
2004229786.tif 000003
【図２】
2004229786.tif 000004
【図３】
2004229786.tif 000005
【図４】
2004229786.tif 000006